(57)【要約】【課題】負傷者や病人を搬送するもので、登山においても至急に下山させるための担架を提供する。【解決手段】担架は長形の合成樹脂シート１０と、シートの装着具からなっている。装着具はシートの中央部に両腿固定テープと一体になった腰ベルト１８と、シートの頭部側にはハトメで固定された両脇を支えるベルト１９を設けている。シートは両側縁部をハトメで留め、ロープを入れて巻きつけるとハトメの間がロープの把手となる支持部を有している。着脱自在の装着具は、被搬送者の胸部保護ベルト１５と腹部保護ベルト１６と脚部保護ベルト１７を設けている。更に、着脱自在でシートの両側で一対になった複数の肩ベルトを設けている。担架の収納は「丸めたシート」と「着脱自在な肩ベルト、胸部・腹部・脚部の保護ベルト」に分別した収納袋に納める。【選択図】図１
2015223236.tif 000002
【特許請求の範囲】
【請求項１】
担架は長形の合成樹脂シートと、シートの装着具とからなり、装着具はシートの中央部に両腿固定テープと一体になって接合された腰ベルトとシートの頭部側にはハトメで接合された両脇を支えるベルトを設け、シートは両側縁部をハトメで留めロープを入れて巻きつけるとハトメの間がロープの把手となる支持部を設けたことを特徴とする担架。
【請求項２】
前記シートの装着具は、着脱自在で被搬送者の胸部保護ベルトと腹部保護ベルトと脚部保護ベルトを設けたことを特徴とする請求項１の記載の担架。
【請求項３】
前記シートの装着具は、着脱自在でシートの両側で一対になった複数の肩ベルトを設けたことを特徴とする請求項１又は請求項２の記載の担架。
【発明の詳細な説明】
【技術分野】
【０００１】
本発明は負傷者や病人を搬送するもので、登山においても至急に下山させるための担架に関するものである。
【背景技術】
【０００２】
一対の支持棒及び連結アームを、炭素繊維強化樹脂からなる中空パイプを用いて軽量化や収納性に優れた伸縮式担架がある。（特許文献１）
【０００３】
階段や狭い場所でも容易に搬送ができ、大腿部固定ベルト同士を結合する結合具を設け、前方搬送者は担架部材を背負いその背後に被搬送者が肩部固定ベルトを付け、座って足を伸ばしている足載せ部材を、後方搬送者が肩に掛け２人で搬送するものがある。（特許文献２）
【先行技術文献】
【特許文献】
【０００４】
【特許文献１】特開２００３−２３０５９６号公報
【特許文献２】特開２００７−３０７２６７号公報
【発明の概要】
【発明が解決しようとする課題】
【０００５】
従来の担架は一対の支持棒を用いるものが多いが次のような問題点がある。支持棒のある担架が傾斜地を通過するときには、頭部側は常に足部より上方に位置して搬送される。傾斜地を上るときには補助者が先頭に立ち、担架を引っ張り上げる手助けが必要で、下るときには補助者が後方から引張り前進する担架の抑制が必要となり、傾斜地で被搬送者が滑り落ちる恐れがある。
【０００６】
従来から設けられた大腿部固定ベルトと肩部固定ベルトの使用は、登山における傾斜地や悪路での通行には問題がある。大腿部固定ベルトは両腿を一体となって固定しているが、両腿は其々で留める方が安全である。肩部固定ベルトは脇の下を通すベルトで、被搬送者が座っている状態で肩部固定ベルトとして使用されている。寝かされた状態で脇の下を通して体を固定しているベルトは見かけないのは、危険性の認識に不足があったと思われる。傾斜地で体を支えるのは主に両脇と両腿の腰部で、十分な固定が必要であり本発明は前記のような欠点をなくしたものである。
【課題を解決するための手段】
【０００７】
長形で二重にした合成樹脂シートの両側縁部を両面ハトメで留め、ロープを巻きつけ裏側のハトメに結び目をつけると、ハトメの間が両側で２０か所の把手となる。シートに固定した装着具は、シートの中央部に両腿をハトメで固定されたテープと一体になった腰ベルトと、シートの頭部側にはハトメで固定された両脇を支えるベルトを設ける。
【０００８】
シートに固定せず着脱自在の装着具は、被搬送者の胸部保護ベルトと腹部保護ベルトと脚部保護ベルトを設け、シートと同じ材料の保護ベルトを細引きロープで結ぶものである。
【０００９】
さらに、着脱自在の装着具は、シートの両側で一対になった複数の肩ベルトで４本まで設置できるものである。
【発明の効果】
【００１０】
シートの両側縁部に両面ハトメを留め、縁部のハトメにロープを巻きつけるとハトメの間がロープの把手となり両側で２０か所の把手が確保され、搬送者の人数や体力に応じて搬送ができ多様性があり選択できる効果がある。
【００１１】
シートの中央部に其々の腿を入れて固定が維持できるように調整ができるテープと、一体になった腰ベルトの後部をシートにハトメで固定させることで、傾斜地の通行にあたって被搬送者を安定かつ安全よく搬送させる効果がある。
【００１２】
シートの頭部側から其々の脇の下を通して長さの調整ができる両脇を支えるベルト２本を、シートにハトメで固定することで、上半身を支え頭部の揺れ防止になり、体全体は更に胸部・腹部・脚部保護ベルトを装着すれば、被搬送者のずれ落ち防止となり心地よく安心させる効果がある。
【００１３】
シートの両側で一対になっている４本まで設置できる肩ベルトを、シートの裏側にある肩ベルトを支えるテープを通し、着脱自在に接続することで搬送者の状況に応じて把手を持つ者、肩ベルトを担う者、両方を使う者と体力に応じて選択ができ、搬送者の負担を軽減できる効果がある。
【００１４】
シートに接合する装着具のすべてを、錆びにくいアルミ製両面ハトメで留めることで、シートの補強や製品の簡素化に役立つ効果がある。
【図面の簡単な説明】
【００１５】
【図１】本発明の６人担架の表面図
【図２】本発明の６人担架の裏面図
【図３】本発明の６人担架のシートに接合する装着具の拡大図
【図４】本発明の両腿固定テープと一体になった腰ベルトの拡大図
【図５】本発明の両腿固定テープと一体になった腰ベルト装着の拡大図
【発明を実施するための形態】
【００１６】
図１に示すように、二重のシート１０の両側縁部を両面ハトメＡ１１で留め、縁部にロープ１２を巻きつけると２０か所でロープの把手１２ができる。山地において長尺な木が確保できれば、シート１０とロープ１２の間に木を通し強く結べば、徒渉や悪路の場で使用できる。常時はシートの裏側の両面ハトメの一つ飛ばしに結び目をつけ、搬送の安定した維持のための２０か所の把手とする。
【００１７】
図３に示すように、シートの中央部において、両腿固定テープと一体になった腰ベルト１８の後部はハトメＢ２１で固定する。シートとの装着部は密着した半ズボンが最適でその後部を縦長くシートに固定する計画であったが、接合することが困難なことから両腿固定のテープと腰ベルトを一体なものにした。また、左右のテープに腿を入れ直接シートに固定させる方法も検討すべき課題である。
【００１８】
図３は、シート１０の頭部側で長さの調整ができる両脇を支える２本のベルト１９を、ハトメＣ２２で固定して上半身を支えている。体全体を固定する作業は最後に行うが、胸部保護ベルト１５、腹部保護ベルト１６、脚部保護ベルト１７をシート１０の下を通してそれぞれ上部で固定する。
【００１９】
図２は、シート１０の裏側に両側で一体になっている肩ベルト１４を、ハトメＤ２３で留めた肩ベルト支えテープ２０に両側に通している。また、肩ベルトは脱着自在で４本常備するが、肩ベルトが接する首元や肩で担う箇所やシートの底部は肩ベルトの幅より広く５〜１０cmの幅を持たせることで、搬送者と被搬送者が受ける下からの圧迫感を抑えることができる。
【００２０】
長さの調整具を有する装着類は、両脇を支えるベルト１９の箇所のみで、他のハトメで固定された両腿固定テープと一体になった腰ベルト１８、体を固定する胸部保護ベルト１５、腹部保護ベルト１６、脚部保護ベルト１７らの長さの調整は細引きロープで結び、両腿固定テープと一体になった腰ベルト１８は更に安全のためカラビナを取付けるが、調整具の採用も同様な効果を奏する。
【００２１】
本発明の使用法を説明する。
１脱着自在の肩ベルトが４本、把手が２０か所あるので搬送の体制を考える。搬送者の体力に応じて、担う者４人持つ者４人、担う者６人持つ者２人など。
２搬送の体制が決まれば、シートを広げ各装着具はシートの下に通し並べ置く。
３被搬送者は中央部に座り両腿固定テープに足を入れ、腰ベルトは付けてから仰向けになり、両腿、腰ベルトの緩みを調整し、両脇を支えるベルトを付ける。
４搬送者は全員でシートを持ち上げ、他の者は装着具をシートの上にあげ、それぞれ胸部・腹部・脚部保護ベルトを固定する。搬送者の前後に道情報を伝える人を配置できれば望ましい。
【実施例１】
【００２２】
二重の長形シート１０はポリエチレンの超厚手♯４０００に防水性があり試作品に選んだ。両側縁部は約２０cm間隔でロープ１２を巻き、裏側の両面ハトメの一つ飛ばしで結び目をつけると両側で２０か所のロープの把手ができる。両側縁部は直径１２ミリ穴の両面ハトメＡ１１を入れるところに、１１ミリの下穴をあけハトメ工具で留める。両面ハトメの仕様ではハトメが入りやすいように下穴は１３ミリとなっているが、強度維持のためハトメの挿入が面倒で困難であるが１１ミリの下穴を開けた。ハトメの上部は直径２３ミリで最大取付穴厚が、４ミリあるので両側縁部は四重にするのがよい。
【００２３】
両腿固定テープと一体になった腰ベルト１８の両腿テープ（アクリル或はナイロン）は，幅２５ミリで腰ベルト（ナイロン）幅３５〜４０ミリがよく、両面ハトメ（直径１０ミリ）で留める。その後、両腿固定テープと一体になった腰ベルト１８は、腰の後方部分だけシートに両面ハトメで留めるが、接合する位置は移動が出来ず重要である。腰の位置は身長の真ん中より少し上にあり、試作品は中心より７cmほど上部にずらした。
【００２４】
試作品のシートの全長は１７０ｃｍであるが、本発明の全長は１９０ｃｍが最適と思える。シートの両サイドの前後２０ｃｍのところを支点とし、残り１５０ｃｍを３等分すると各所の間隔が５０ｃｍとなり４つの支点が肩ベルトの位置となり、前後の人と支障なく８人で搬送できる。肩ベルトとシート面の装着は、接合面の強度が維持できれば両面ハトメで留め、登山者が携行しているカラビナ２枚でシートの縁部と肩ベルトを繋ぎ、素早く脱着できることも検討課題である。
【符号の説明】
【００２５】
１０  シート
１１  ハトメＡ（シート固定・ロープの挿入）
１２  ロープ・把手
１３  結び目（８の字結）
１４  肩ベルト
１５  胸部保護ベルト
１６  腹部保護ベルト
１７  脚部保護ベルト
１８  両腿固定テープと一体になった腰ベルト
１９  両脇を支えるベルト
２０  肩ベルトを支えるテープ
２１  ハトメＢ（１８両腿固定テープと一体になった腰ベルトを固定）
２２  ハトメＣ（１９両脇を支えるベルトを固定）
２３  ハトメＤ（２０肩ベルトを支えるテープを固定）
【産業上の利用可能性】
【００２６】
高齢者の登山は下山中に足の捻挫や踏み外しがよくあり、歩行困難な人が出ることから軽量で丈夫な簡易担架が求められている。本発明の担架は簡素で、高齢者向けには８人用担架として利用できる。両面ハトメで留めた担架の収納は「丸めたシート」と「肩ベルトなど装着具」、を分け２つの収納袋として個人の軽量化を図る。
【図１】
2015223236.tif 000003
【図２】
2015223236.tif 000004
【図３】
2015223236.tif 000005
【図４】
2015223236.tif 000006
【図５】
2015223236.tif 000007